【手続補正書】
【提出日】平成18年6月23日(2006.6.23)
【手続補正１】
【補正対象書類名】特許請求の範囲
【補正対象項目名】全文
【補正方法】変更
【補正の内容】
【特許請求の範囲】
【請求項１】
重合体ブレンド組成物の製造方法であって：
ａ）スルホン酸、リン酸及びカルボン酸から成る群から選ばれる、少なくとも５重量％のアニオン性官能基を含む、単量体、オリゴマー、プレポリマーまたは重合体である少なくとも１種の成分Ａ；
ｂ）重量で少なくとも１種の成分Ａのアニオン性官能基の重量百分率より少ないアニオン性官能基を含む、オリゴマー、プレポリマーまたは重合体である少なくとも１種の成分Ｂ；および
ｃ）金属カチオンである少なくとも１種の成分Ｃ
を相互にブレンドして第一組成物を形成する工程と、そして
第一組成物を溶融加工することにより、少なくとも１種の成分Ａのアニオン性官能基と少なくとも１種の成分Ｃとの反応生成物を生成させて、上記重合体ブレンド組成物を形成する工程とを含む、
上記の方法。
【請求項２】
相互ブレンド工程でブレンドされる少なくとも１種の成分Ａが約５〜約５０重量％のアニオン性官能基を含む、請求項１記載の方法。
【請求項３】
相互ブレンド工程でブレンドされる少なくとも１種の成分Ｂが約２５重量％未満のアニオン性官能基を含む、請求項１記載の方法。
【請求項４】
相互ブレンド工程でブレンドされる少なくとも１種の成分Ｂが約２０重量％未満のアニオン性官能基を含む、請求項３記載の方法。
【請求項５】
相互ブレンド工程でブレンドされる少なくとも１種の成分Ｂが約１０重量％未満のアニオン性官能基を含む、請求項４記載の方法。
【請求項６】
相互ブレンド工程でブレンドされる少なくとも１種の成分Ｂがアニオン性官能基を含んでいない、請求項５記載の方法。
【請求項７】
相互ブレンド工程でブレンドされる少なくとも１種の成分Ａが単独重合体、共重合体、三元共重合体またはそれらの混合物から成る、請求項１記載の方法。
【請求項８】
相互ブレンド工程でブレンドされる少なくとも１種の成分Ａが、（１）式RCH=CH2（式中、Ｒは水素および１〜８個の炭素原子を有するアルキル基より成る群から選ばれる基である）を有するα−オレフィンと、（２）好ましくは３〜８個の炭素原子を有するα，β−エチレン性不飽和カルボン酸との共重合体から成る、請求項７記載の方法。
【請求項９】
相互ブレンド工程でブレンドされる少なくとも１種の成分Ａの共重合体のα−オレフィンが、エチレン、プロピレン、ブテン、ペンテン、ヘキセン、ヘプテン、メチルブテンまたはメチルペンテンから成る、請求項８記載の方法。
【請求項１０】
相互ブレンド工程でブレンドされる少なくとも１種の成分Ａの共重合体のα，β−エチレン性不飽和カルボン酸が、アクリル酸、メタクリル酸、エタクリル酸、イタコン酸、マレイン酸またはフマル酸から成る、請求項８記載の方法。
【請求項１１】
相互ブレンド工程でブレンドされる少なくとも１種の成分Ａの共重合体のα，β−エチレン性不飽和カルボン酸がジカルボン酸のモノエステルから成る、請求項８記載の方法。
【請求項１２】
相互ブレンド工程でブレンドされる少なくとも１種の成分Ａの共重合体のα，β−エチレン性不飽和カルボン酸のジカルボン酸モノエステルが、マレイン酸水素メチル、フマル酸水素メチル、フマル酸水素エチルまたは無水マレイン酸である、請求項１１記載の方法。
【請求項１３】
相互ブレンド工程でブレンドされる少なくとも１種の成分Ａが、
（１）式RCH=CH2（式中、Ｒは水素および１〜８個の炭素原子を有するアルキル基より成る群から選ばれる基である）を有するα−オレフィン、
（２）好ましくは３〜８個の炭素原子を有するα，β−エチレン性不飽和カルボン酸、および
（３）１〜２１個の炭素原子を有するアクリレートエステルの三元共重合体から成る、請求項７記載の方法。
【請求項１４】
重合体ブレンド組成物の製造方法であって、
ａ）スルホン酸、リン酸及びカルボン酸から成る群から選ばれる、少なくとも５重量％のアニオン性官能基を含む、単量体、オリゴマー、プレポリマーまたは重合体である少なくとも１種の成分Ａ；
ｂ）重量で少なくとも１種の成分Ａのアニオン性官能基の重量百分率より少ないアニオン性官能基を含む、トリブロック共重合体である少なくとも１種の成分Ｂであって、
トリブロック共重合体が、
（ｉ）芳香族ビニル化合物を含む第一重合体ブロック；
（ｉｉ）ジエン化合物を含む第二重合体ブロック；および
（ｉｉｉ）ブロック共重合体に配置されているヒドロキシル基
を有し、又は、
そのトリブロック共重合体の水素化生成物若しくはそれらの混合物を有する、
少なくとも１種の成分Ｂ；および
ｃ）金属カチオンである少なくとも１種の成分Ｃ
を相互にブレンドして第一組成物を形成する工程と；
第一組成物を溶融加工することにより、少なくとも１種の成分Ａのアニオン性官能基と少なくとも１種の成分Ｃとの反応生成物を生成させて、上記重合体ブレンド組成物を形成する工程を含む、
方法。
【請求項１５】
相互ブレンド工程でブレンドされる少なくとも１種の成分Ｃが、リチウム、ナトリウム、マグネシウム、アルミニウム、カリウム、カルシウム、マンガン、タングステン、チタン、鉄、コバルト、ニッケル、ハフニウム、銅、亜鉛、バリウム、ジルコニウムまたはスズから成る、請求項１記載の方法。
【請求項１６】
相互ブレンド工程でブレンドされる少なくとも１種の成分Ｃが金属塩中に組み込まれている、請求項１５記載の方法。
【請求項１７】
金属塩を含む相互ブレンド工程が金属水酸化物、金属炭酸塩、金属酢酸塩またはそれらの混合物を含む、請求項１６記載の方法。
【請求項１８】
相互ブレンド工程が、第一組成物中に架橋剤、共架橋剤、促進剤、活性剤、紫外線活性薬品、電子線活性薬品、着色剤、紫外線安定剤、蛍光増白剤、酸化防止剤、加工助剤、離型剤、発泡剤、充填剤、繊維またはそれらの混合物をブレンドすることを含む、請求項１記載の方法。
【請求項１９】
相互ブレンド工程が、少なくとも１種の成分Ａ、少なくとも１種の成分Ｂおよび少なくとも１種の成分Ｃを一緒に乾式混合して第一組成物を形成する、請求項１記載の方法。
【請求項２０】
第一組成物の溶融加工工程が、第一組成物を溶融混合するために押出機を使用することを含む、請求項１９記載の方法。
【請求項２１】
重合体ブレンド組成物の製造方法であって、
ａ）スルホン酸、リン酸及びカルボン酸から成る群から選ばれる、少なくとも５重量％のアニオン性官能基を含む、単量体、オリゴマー、プレポリマーまたは重合体である少なくとも１種の成分Ａ；
ｂ）重量で少なくとも１種の成分Ａのアニオン性官能基の重量百分率より少ないアニオン性官能基を含む、単量体、オリゴマー、プレポリマーまたは重合体である少なくとも１種の成分Ｂ；および
ｃ）金属カチオンである少なくとも１種の成分Ｃ
を相互にブレンドして第一組成物を形成する工程であって、
相互ブレンド工程が：
少なくとも１種の成分Ａおよび少なくとも１種の成分Ｂを一緒に乾式混合して第一混合物を生成させ；
第一混合物を溶融混合し；そして
第一混合物中に少なくとも１種の成分Ｃを乾式混合して第一組成物を形成する
ことを含む、工程と；
第一組成物を溶融加工することにより、少なくとも１種の成分Ａのアニオン性官能基と少なくとも１種の成分Ｃとの反応生成物を生成させて、上記重合体ブレンド組成物を形成する工程と、
を含む、方法。
【請求項２２】
第一組成物の溶融加工工程が、第一組成物を溶融混合するために押出機を使用することを含む、請求項２１記載の方法。
【請求項２３】
第一組成物の溶融加工工程がその組成物を２回以上溶融混合することを含む、請求項１記載の方法。
【請求項２４】
相互ブレンド工程で調製された第一組成物が、成分Ａと成分Ｂとの合計重量に基づいて約１〜約９９重量％の少なくとも１種の成分Ａを含む、請求項１記載の方法。
【請求項２５】
相互ブレンド工程で調製された第一組成物が、成分Ａと成分Ｂとの合計重量に基づいて約１０〜約９０重量％の少なくとも１種の成分Ａを含む、請求項２４記載の方法。
【請求項２６】
相互ブレンド工程で調製された第一組成物が、成分Ａと成分Ｂとの合計重量に基づいて約２０〜約８０重量％の少なくとも１種の成分Ａを含む、請求項２５記載の方法。
【請求項２７】
相互ブレンド工程で調製された第一組成物が、成分Ａと成分Ｂとの合計重量に基づいて約３０〜約７０重量％の少なくとも１種の成分Ａを含む、請求項２６記載の方法。
【請求項２８】
溶融加工工程が、少なくとも１種の成分Ａ中におけるアニオン性官能基の約５％超を少なくとも１種の成分Ｃと反応させることを含む、請求項１記載の方法。
【請求項２９】
溶融加工工程が、少なくとも１種の成分Ａ中における官能基の少なくとも約１０〜約９０％を少なくとも１種の成分Ｃと反応させることを含む、請求項２８記載の方法。
【請求項３０】
溶融加工工程が、少なくとも１種の成分Ａ中における官能基の少なくとも約１０〜約８０％を少なくとも１種の成分Ｃと反応させることを含む、請求項２９記載の方法。
【請求項３１】
溶融加工工程が、少なくとも１種の成分Ａ中における官能基の少なくとも約１０〜約７０％を少なくとも１種の成分Ｃと反応させることを含む、請求項３０記載の方法。
【請求項３２】
請求項１記載の方法を用いて調製された重合体ブレンド組成物を含むスポーツ用品。
【請求項３３】
スポーツ用品が、競技用シューズ、スキー、スキーブーツ、スノーボード、スケート、自転車、フットボール、ホッケーマスク、ホッケークラブ、サッカーボール、身体保護用品、保護アイウェア、ゴルフクラブまたはゴルフボールである、請求項３２記載のスポーツ用品。
【請求項３４】
請求項１に記載の方法を用いて調製された重合体ブレンド組成物を含むゴルフボール。
【請求項３５】
ゴルフボールがコアを含み、そのコアが重合体ブレンド組成物を含む、請求項３４記載のゴルフボール。
【請求項３６】
ゴルフボールがコアおよびそのコアを包んでいるカバーを含み、そのカバーが重合体ブレンド組成物を含む、請求項３４記載のゴルフボール。
【請求項３７】
ゴルフボールがコア、そのコアを包んでいるカバー、および上記のコアとカバーとの間に位置する中間層を含み、その中間層が重合体ブレンド組成物を含む、請求項３４記載のゴルフボール。
【請求項３８】
ゴルフボールがコアを含み、そのコアが内側コアおよびその内側コアを包んでいる１つまたは２つ以上の外側コアを含む、請求項３４記載のゴルフボール。
【請求項３９】
ボールが液体コアを含む、請求項３４記載のゴルフボール。
【請求項４０】
ボールがコアとカバーとの間に位置されているゴム糸の層を含む、請求項３４記載のゴルフボール。
【請求項４１】
重合体ブレンド組成物が、構造中にグリシジル基、ヒドロキシル基、無水マレイン酸基またはカルボキシル基を有する共重合体または三元共重合体をさらに含む、請求項３４記載のゴルフボール。
【請求項４２】
スルホン酸、リン酸及びカルボン酸から成る群から選ばれる、少なくとも５重量％の少なくとも１つのタイプの官能基を含む、単量体、オリゴマー、プレポリマーまたは重合体から成る少なくとも１種の成分Ａ；
重量で少なくとも１種の成分Ａのアニオン性官能基の重量百分率より少ないアニオン性官能基を含む、オリゴマー、プレポリマーまたは重合体から成る少なくとも１種の成分Ｂ；および
金属カチオンから成る少なくとも１種の成分Ｃ
の反応生成物を含む、重合体ブレンド。
【請求項４３】
少なくとも１種の成分Ａが、約５〜約５０重量％の少なくとも１つのタイプのアニオン性官能基を含む、請求項４２記載の重合体ブレンド。
【請求項４４】
成分Ｂが約２５重量％未満のアニオン性官能基を含む、請求項４２記載の重合体ブレンド。
【請求項４５】
成分Ｂが約２０重量％未満のアニオン性官能基を含む、請求項４４記載の重合体ブレンド。
【請求項４６】
成分Ｂが約１０重量％未満のアニオン性官能基を含む、請求項４５記載の重合体ブレンド。
【請求項４７】
成分Ｂがアニオン性官能基を含んでいない請求項４６記載の重合体ブレンド。
【請求項４８】
請求項４２に記載されている重合体ブレンドを含む、ゴルフボール。
【請求項４９】
ａ）スルホン酸、リン酸及びカルボン酸から成る群から選ばれる、少なくとも５重量％のアニオン性官能基を含む、単量体、オリゴマー、プレポリマーまたは重合体である少なくとも１種の成分Ａ；
ｂ）重量で少なくとも１種の成分Ａのアニオン性官能基の重量百分率より少ないアニオン性官能基を含む、トリブロック共重合体である少なくとも１種の成分Ｂであって、
トリブロック共重合体が、
（ｉ）芳香族ビニル化合物を含む第一重合体ブロック；
（ｉｉ）ジエン化合物を含む第二重合体ブロック；および
（ｉｉｉ）ブロック共重合体に配置されているヒドロキシル基
を有し、又は、
そのトリブロック共重合体の水素化生成物若しくはそれらの混合物を有する、
少なくとも１種の成分Ｂ；および
ｃ）金属カチオンである少なくとも１種の成分Ｃ
の反応生成物を含む、重合体ブレンド。
【請求項５０】
請求項４９に記載されている重合体ブレンドを含む、ゴルフボール。